(57)【要約】【課題】  使用者の安全を確保できる霧化装置のノズル構造を提供する。【解決手段】  本体１があり、本体１に霧化室１０が設けられている。霧化室１０に霧化器１１が設けられ、霧化室１０の天辺にノズル２が設けられている。ノズル２に霧化液体の噴射樋２０が設けられ、噴射樋２０に化粧ランプ２１が設けられている。化粧ランプ２１の前側に光ファイバー管が設けられている。化粧ランプ２１の前側に光カバーが設けられている。霧化室１０の天辺に化粧ランプ２１が設けられている。霧化液体の噴射状態により霧化装置内に液体があるかどうかを判明できるため、使用者の安全を確保できる。霧化装置によって液体を霧化してから送出する時、化粧ランプ２１が生じる投射効果を利用して、投射光束をノズル２の前方に発生させると、使用者が霧化状態を明確に了解できる。【選択図】    図１
2006326493.tif 000002
【特許請求の範囲】
【請求項１】
霧化装置のノズル構造であって、
本体があり、本体に霧化室が設けられ、霧化室に霧化器が設けられ、前記霧化室の天辺にノズルが設けられ、ノズルに霧化液体の噴射樋が設けられ、噴射樋に化粧ランプが設けられていることを特徴とする霧化装置のノズル構造。
【請求項２】
化粧ランプの前側に光ファイバー管が設けられていることを特徴とする請求項１記載の霧化装置のノズル構造。
【請求項３】
化粧ランプの前側に光カバーが設けられていることを特徴とする請求項１記載の霧化装置のノズル構造。
【請求項４】
本体に設けられている霧化室の天辺に化粧ランプが設けられていることを特徴とする請求項１記載の霧化装置のノズル構造。
【発明の詳細な説明】
【技術分野】
【０００１】
本発明は、霧化装置のノズル構造に関するものであり、特に、本体に設けた霧化室の天辺にノズルを設けて、ノズルの噴射樋に化粧ランプを設けて、化粧ランプから生じる投射光源を利用して、前記ノズルの噴射樋から噴出した霧状液体を照り出させることによって霧状液体を噴出している動態表現が見え、装飾及び実用効果のある霧化装置を造り出すものを指す。
【背景技術】
【０００２】
従来知られている霧化装置によると、それは、振動型加湿器を参考にする（特許文献１参照）。その種の加湿器に採用される霧化器とは、超音波振動子（Ultrasonic  oscillator１５）であり、無色の液体が前記霧化器に霧化されたら、霧化室の天辺に設けられたノズルから室内に噴出されるが、無色の霧化液体を室内に噴出しても目立った効果がなく、即ち、全く無色の霧化液体で可視ではないため、使用者としては前記霧化装置が正常に稼動しているか否かは分からなくなる。その欠点とは、使用者が霧化装置の霧化槽に液体があるかどうかが分からないまま、霧化装置をスタートさせるため、無負荷運転という安全問題をもたらすことにある。殆どの霧化装置には皆安全探知装置が設けてあるが、避けられないのは、前記安全探知装置が故障した場合、随時、使用者の不注意による危険をもたらす可能性があるという問題である。
そこで、本発明の発明者は、目下各種の従来知られた霧化装置の構造問題について特に研究を重ねてから、本発明を発明したのである。
【０００３】
【特許文献１】アメリカ特許第４６４３３５１号
【発明の開示】
【発明が解決しようとする課題】
【０００４】
本発明の目的は、該霧化装置の霧化液体の噴射状態により霧化装置内に液体があるかどうかをすべて判明できるため、使用者の安全を確保できることにある。
本発明のもう一つの目的は、装飾作用のある霧化装置を提供することにあり、該霧化装置によって液体を霧化してから送出する時、ノズルに設けた化粧ランプが生じる投射効果を利用して、投射光束をノズルの前方に発生させると、使用者が霧化状態を明確に了解でき、また、装飾の美感も持てる。
【課題を解決するための手段】
【０００５】
１．本発明における霧化装置のノズル構造とは、本体の霧化室の天辺にノズルを設けて、ノズルの噴射樋に化粧ランプをつけて、化粧ランプから生じる投射光源によって前記ノズルにある噴射樋から噴射した霧状液体を照り出させて、十分に霧状液体の動態を表して、装飾且つ実用効果のある霧化装置を造り出すものである。
【０００６】
２．本発明における霧化装置のノズル構造は、噴射樋につけた化粧ランプから生じる投射光源を利用して、前記ノズルの噴射樋において霧状液体の光束を発生させることにより、霧状液体の動態及び装飾の美感を表現できるのである。
【０００７】
本発明における霧化装置のノズル構造は、化粧ランプの前側に集光のための光ファイバー管が設けてあり、該光ファイバーの集光及びスポットライトの機能を利用して光線を束ねる効果が高められて、一層美感を増やすものである。
【発明を実施するための最良の形態】
【０００８】
以下、別添の図面にしたがって説明する。
図１及び図２に示すのは、本発明の霧化装置の実施例一であり、その中において実施例一の霧化装置には次のようなものが含まれている。
【０００９】
本体１があり、本体１に霧化室１０を設けて、霧化室１０には一部の液体或いは霧化した液体を貯留でき、霧化室１０に霧化器１１を設けて、該霧化器１１とは振動子或いは加熱器であってもいい。霧化室１０の天辺にノズル２を設けて、ノズル２に霧化液体を噴射する噴射樋２０を設けて、噴射樋２０に化粧ランプ２１を設けて、化粧ランプ２１は投射光源（図２を参照）を発生でき、また、化粧ランプ２１の前側に他に一つの光カバー２１０（図３に示されたのを参照）或いは一つの光ファイバー管２１１（図４に示すのを参照）を設けることができ、前記化粧ランプ２１の前側に設けられた光カバー２１０または光ファイバー２１１によって集光の効果が生じるため、該化粧ランプ２１から投射された光源は一層集光の効果を持つようになり、そこで、前記霧化器１１によって液体が霧化したら、霧化された液体が前記ノズルの噴射樋２０を通して室内へ噴出されると、前記化粧ランプは前記噴射樋２０の集光機能を利用して、前記化粧ランプ２１から生じた光束を前記のノズル２の噴射樋２０から噴出した霧状液体に照射して、また、前記ノズル２の噴射樋２０の先端に霧状液体の光束を発生させるため、霧状液体の噴出動態が表現できるだけではなく、更に室内を装飾する効果にもなるので、霧化装置の実用価値を向上できる。
【００１０】
それから、図５に示すのは、本発明の霧化装置の実施例四であり、その中において、実施例四の霧化装置と前記実施例一とは、構造及び外観ではちょっと違っているが、霧化液体のノズル構造において皆前記実施例一と同じであり、即ち、ノズルの噴射樋２０に化粧ランプ２１が設けてあり、前記実施例一と同じような装飾及び実用という効果を有する。このため、本実施例は霧化装置の形状と構造に限られず、凡そノズルの設置は本実施例と同じ構造のある化粧ランプがあったら、すべて本実施例の構造に相当するため、本発明に拘束されるべきである。
【００１１】
更に図６に示すのは、本発明の霧化装置の実施例五であり、その中において、実施例五の霧化装置と前記実施例一及び実施例四とは、構造及び外観ではちょっと異なるが、前記実施例一及び実施例四の構造における特徴を延長したものであり、本実施例五では、ノズルの下方、即ち、霧化室１０の天辺に一つ以上の化粧ランプ２１Ａが設けてあり、そこで霧化された液体はノズル２の噴射樋２０から噴出されたら、前記化粧ランプ２１Ａから生じた投射効果によって前記実施例一及び実施例四と同じような装飾及び実用効果が生じ、それは本実施例の構成である。
【図面の簡単な説明】
【００１２】
【図１】本発明の実施例一による霧化装置のノズル構造を示す断面図である。
【図２】本発明の実施例一による霧化装置のノズル構造の動作を示す断面図である。
【図３】本発明の実施例二による霧化装置のノズル構造を示す断面図である。
【図４】本発明の実施例三による霧化装置のノズル構造を示す断面図である。
【図５】本発明の実施例四による霧化装置のノズル構造を示す断面図である。
【図６】本発明の実施例五による霧化装置のノズル構造を示す斜視図である。
【符号の説明】
【００１３】
１  本体、２  ノズル、１０  霧化室、１１  霧化器、２０  噴射樋、２１  化粧ランプ、２１Ａ  化粧ランプ、２１０  光カバー、２１１  光ファイバー管、２１１Ａ  光ファイバー管
【図１】
2006326493.tif 000003
【図２】
2006326493.tif 000004
【図３】
2006326493.tif 000005
【図４】
2006326493.tif 000006
【図５】
2006326493.tif 000007
【図６】
2006326493.tif 000008